(57)【要約】【課題】配管同士を連結する場合において、フランジ部の径が異なる配管同士を接続する場合でも、確実に連結して接続することができる配管接続連結具を得る。【解決手段】結合バネ部１１に対して両側にそれぞれ支持翼２０を形成し、フランジ部４が形成された配管１，２同士の前記フランジ部を当接させた状態で、前記支持翼２０により前記フランジ部４を挟持することで配管同士を連結する一体形成から成る配管接続連結具１０であって、当接させたフランジ部４を支持する位置における前記支持翼２０の断面をコ字状に形成し、前記フランジ部４の当接面に平行な面に支持面を有する一対の支持片３０を、前記支持翼２０内に位置するように前記結合バネ部１１から伸長させて設けることにより、当接するフランジ部４の径が異なる場合でも、小径側のフランジ部４を支持片３０で支持することができ、支持翼２０内で当接フランジ部を確実に固定する。【選択図】      図１
2004340306.tif 000002
【特許請求の範囲】
【請求項１】
結合バネ部に対して両側にそれぞれ支持翼を形成し、フランジ部が形成された配管同士の前記フランジ部を当接させた状態で、前記支持翼により前記フランジ部を挟持することで配管同士を連結する一体形成から成る配管接続連結具であって、
当接させたフランジ部を支持する位置における前記支持翼の断面をコ字状に形成するとともに、
前記フランジ部の当接面に平行な面に支持面を有する一対の支持片を、前記支持翼内に位置するように前記結合バネ部から伸長させて設けた
ことを特徴とする配管接続連結具。
【請求項２】
前記各支持片は、前記支持翼に沿った形状である請求項１に記載の配管接続連結具。
【発明の詳細な説明】
【０００１】
【発明の属する技術分野】
本発明は端部にフランジ部を有する配管同士を連結するための配管接続連結具に関し、より詳しくはフランジ部の径が異なる配管同士を接続可能とする連結具に関する。
【０００２】
【従来の技術】
給湯装置や温水暖房装置においては、所定場所に熱湯や温水を供給するために、配管と配管とを接続して通路を構成している。この通路には、配管と配管の接続部、配管と分岐部品との接続部、配管その他の部品と各種装置との接続部など、多くの接続部が設けられている。これら配管やその接続部は、通路内部に発生する水圧や熱膨張などに伴う圧力、更には温度変化に耐えられるような耐久性を有する構造が要求される。
【０００３】
配管同士の接続部における構造は、例えば図４（ａ）（ｂ）に示すように、それぞれフランジ部を有する配管１と配管２とにおいて、一方の連結部３を他方の連結部３に嵌合して両フランジ部４，４を当接させて接続するように構成されている。そして、フランジ部同士が当接する接続部分において、連結部の嵌合状態を維持するために、フランジ部４，４の端部を、図５に示すような連結具５で固定する構造が提案されている（例えば特許文献１の
【０００４】を参照）。
【０００４】
【特許文献１】
特開平９−１５９０８１号
【０００５】
連結具５は、図５（ａ）（ｂ）に示すように、配管１，２におけるフランジ部４，４の当接部分（当接フランジ部）の外周の一部を挟持する一対の外周挟持部６と、その外周挟持部６の両端からほぼ半径方向に延設して当接フランジ部の両端部の一部を挟持する端部挟持部７と、一対の外周挟持部６を一体的に結合するとともにその外周挟持部６を弾性的に挟持方向に付勢する結合バネ部８とを備えて構成されている。
【０００６】
【発明が解決しようとする課題】
上記接続部の構造によると、連結具５により当接フランジ部が確実に固定されるには、フランジ部４の径を同径とし、同径同士で連結された当接フランジ部が連結具５の外周挟持部６及び端部挟持部７の内壁と密着する必要がある。
したがって、上記連結具５を使用した接続構造であると、配管同士のフランジ部４の外径が異なるような場合には、外周挟持部６及び端部挟持部７の内壁に一方のフランジ部４の外周が密着できないため、接続させることができなかった。
【０００７】
本発明は上記実情に鑑みてなされたもので、配管同士を連結する場合において、フランジ部の径が異なる配管同士を接続する場合でも、確実に連結して接続することができる配管接続連結具を提供することを目的とする。
【０００８】
【課題を解決するための手段】
上記目的を達成するため請求項１の発明は、結合バネ部１１に対して両側にそれぞれ支持翼２０を形成し、フランジ部４が形成された配管１，２同士の前記フランジ部を当接させた状態で、前記支持翼２０により前記フランジ部４を挟持することで配管同士を連結する一体形成から成る配管接続連結具１０であって、次の構成を具備することを特徴としている。
当接させたフランジ部４を支持する位置における前記支持翼２０の断面をコ字状に形成する。
前記フランジ部４の当接面に平行な面に支持面を有する一対の支持片３０を、前記支持翼２０内に位置するように前記結合バネ部１１から伸長させて設ける。
【０００９】
請求項２は、請求項１の配管接続連結具１０において、前記各支持片３０は、前記支持翼２０（円弧部２３）に沿った形状（円弧片３２）であることを特徴としている。
【００１０】
本発明の配管接続連結具１０によれば、各支持翼２０内に支持片３０を設けたので、当接するフランジ部４の径が異なる場合でも、小径側のフランジ部４を支持片３０で支持することができるので、支持翼２０内で当接フランジ部を確実に固定できる。
【００１１】
【発明の実施の形態】
本発明の実施の形態の一例としての配管接続連結具について、図１及び図２を参照しながら説明する。図１は配管接続連結具の斜視説明図、図２（ａ）（ｂ）（ｃ）（ｄ）はそれぞれ配管接続連結具の平面説明図、正面説明図、裏面説明図、側面説明図である。
【００１２】
本発明の配管接続連結具１０は、金属片をプレス加工処理により一体的に形成されるものであって、結合バネ部１１と、結合バネ部１１の側面からそれぞれ両側に延設される支持翼部２０と、結合バネ部１１の下面の左右位置からそれぞれ延設される支持片３０を有して構成されている。
【００１３】
結合バネ部１１は方形状片で構成されている。方形状片の両側辺には、それぞれ直角に折曲した折曲部１２を介して伸長された支持翼部２０の連結部２１が延設されている。この連結部２１は、折曲部２２で外側に折り曲げられ、更に内側に緩やかな弧状を描く円弧部２３が形成され、その先方側に支持翼部２０が連設されている。
【００１４】
支持翼部２０は、後述する当接フランジ部を覆う外周挟持部２６と、その両端からほぼ半径方向に延設して当接フランジ部の両端部の一部をそれぞれ挟持する端部挟持部２７とを具備して構成されている。すなわち、外周挟持部２６及び端部挟持部２７から構成される支持翼部２０の断面はコ字状に形成されている。
また、各支持翼部２０の外周挟持部２６の先端側には、外側に開くように折曲された拡開部２８がそれぞれ形成され、当接フランジ部が挿入し易い形状となっている。
【００１５】
結合バネ部１１の下面側には、その先端側の一部分が支持翼２０内に位置するように、一対の支持片３０が伸長して形成されている。この支持片３０は、フランジ部４の当接面に平行な面内に支持片３０の支持面が位置するようになっている。また、一対の支持片３０は、結合バネ部１１に直交する基片３１と、基片３１から支持翼２０に沿うように円弧状に形成された円弧片３２とから構成されている。
【００１６】
上述した配管接続連結具１０では、各支持片３０は支持翼２０内に位置するように構成したが、支持片３０の先端部が配管接続連結具において各支持翼２０より内側に位置するように形成してもよい。
【００１７】
続いて、上記構成の配管接続連結具１０の使用方法について、図３を参照しながら説明する。
本発明の配管接続連結具１０は、配管１，２同士の接続部におけるフランジ部４の径が異なる場合であっても連結できる連結具であり、例えば図３（ａ）に示すように、それぞれフランジ部４を有する配管１と配管２とにおいて、径が異なる両フランジ部４，４を当接させて当接フランジ部に被せるように固定する。すなわち、小径側のフランジ部４が支持片３０側に位置するように、当接フランジ部に対して配管接続連結具１０の支持翼２０の拡開部２８側を装着し、当接フランジ部に沿って押し込むと、結合バネ部１１に対して支持翼２０が拡開し、更に押し込むことで拡開状態から通常状態になって大径側のフランジ部４の周囲が外周挟持部２６に接触して固定される。この状態のとき、小径側のフランジ部４のフランジ面に支持片３０が当接し、支持片３０がフランジ面をフランジ部同士の当接面側に付勢するので、小径側のフランジ部４は外周挟持部１６の内壁に当接していなくてもこれを確実に固定することができる。
【００１８】
図３（ｂ）は、径が同じ両フランジ部４，４を当接させた当接フランジ部を本発明の配管接続連結具１０で固定する場合を示すもので、この場合は両フランジ部４の周囲が外周挟持部２６に接触するとともに、支持片３０が一方のフランジ面４に当接するように配置される。
【００１９】
上記構造の配管接続連結具１０によれば、接続される各配管１，２のフランジ部４の径が同じであっても異なっていても、両配管を確実に連結することができる。
【００２０】
【発明の効果】
本発明の配管接続連結具によれば、各支持翼内に支持片を設けたので、当接するフランジ部の径が異なる場合でも、小径側のフランジ部を支持片で支持することができるので、支持翼内で当接フランジ部を確実に固定でき、径が異なるフランジ部を有する配管同士を接続固定することが可能となる。
【図面の簡単な説明】
【図１】本発明の配管接続連結具の実施の形態の一例を示す斜視説明図である。
【図２】本発明の配管接続連結具の実施の形態を示すもので、（ａ）は平面説明図、（ｂ）は正面説明図、（ｃ）は裏面説明図、（ｄ）は側面説明図である。
【図３】本発明の配管接続連結具を使用して配管同士の接続を行った場合を示すものであり、（ａ）は径の異なるフランジ部を接続した状態を示す斜視説明図、（ｂ）は径が等しいフランジ部を接続した状態を示す斜視説明図である。
【図４】連結具を使用するに際しての配管同士の接続状態を示すもので、（ａ）は配管同士のフランジ部の当接前の状態（一部断面）を示す側面説明図、（ｂ）はフランジ部同士が当接した状態（一部断面）を示す側面説明図である。
【図５】従来の連結具を示すもので、（ａ）は正面説明図、（ｂ）は側面説明図である。
【符号の説明】
１，２…配管、  ４…フランジ部、
１０…配管接続連結具、  １１…結合バネ部、
２０…支持翼、  ２１…連結部、  ２３…円弧部、
２６…外周挟持部、  ２７…端部挟持部、
３０…支持片、  ３１…基片、  ３２…円弧片
【図１】
2004340306.tif 000003
【図２】
2004340306.tif 000004
【図３】
2004340306.tif 000005
【図４】
2004340306.tif 000006
【図５】
2004340306.tif 000007